(57)【要約】【課題】精度よく認知機能障害および脳機能障害の評価を行う。【解決手段】評価装置は、画像を表示する表示画面と、表示画面を観察する被験者の注視点の位置を検出する注視点検出部と、被験者に注視させる課題対象物と、課題対象物に関する課題を解決するように被験者に指示する指示情報とを表示画面に表示する指示表示動作を行う表示制御部と、課題対象物に対応した課題領域と、指示情報に対応した指示領域とを表示画面に設定する領域設定部と、注視点の位置データに基づいて、指示表示動作が行われる指示表示期間に注視点が課題領域及び指示領域に存在するか否かをそれぞれ判定する判定部と、判定結果に基づいて、指示表示期間における注視点の移動の経過を示す指示移動経過データを算出する演算部と、指示移動経過データに基づいて、被験者の評価データを求める評価部とを備える。【選択図】図３
2020032078.tif 000002
【特許請求の範囲】
【請求項１】
画像を表示する表示画面と、
前記表示画面を観察する被験者の注視点の位置を検出する注視点検出部と、
前記被験者に注視させる課題対象物と、前記課題対象物に関する課題を解決するように前記被験者に指示する指示情報とを前記表示画面に表示する指示表示動作を行う表示制御部と、
前記課題対象物に対応した課題領域と、前記指示情報に対応した指示領域とを前記表示画面に設定する領域設定部と、
前記注視点の位置データに基づいて、前記指示表示動作が行われる指示表示期間に前記注視点が前記課題領域及び前記指示領域に存在するか否かをそれぞれ判定する判定部と、
判定結果に基づいて、前記指示表示期間における前記注視点の移動の経過を示す指示移動経過データを算出する演算部と、
前記指示移動経過データに基づいて、前記被験者の評価データを求める評価部と
を備える評価装置。
【請求項２】
前記指示移動経過データは、前記指示表示期間に前記注視点が前記課題領域に存在した存在時間を示す第１存在時間データと、前記指示表示期間に前記注視点が前記指示領域に存在した存在時間を示す第２存在時間データと、前記指示表示期間の開始時点から前記注視点が前記課題領域に到達した到達時点までの時間を示す指示到達時間データと、前記指示表示期間において前記課題領域と前記指示領域との間で前記注視点の位置が移動する回数を示す指示移動回数データと、を含む
請求項１に記載の評価装置。
【請求項３】
前記表示制御部は、前記指示表示動作において、当該指示表示動作の後に前記表示画面に表示される複数の対象物の中から前記課題に対して正解となる対象物を注視するよう指示する情報を前記指示情報に含ませて前記表示画面に表示し、
前記表示制御部は、前記指示表示動作の後に、前記指示情報に対して正解となる特定対象物と、前記特定対象物とは異なる比較対象物とを複数の前記対象物として前記表示画面に表示する対象表示動作を行い、
前記領域設定部は、前記特定対象物に対応した特定領域と、前記比較対象物に対応した比較領域とを前記表示画面に設定し、
前記判定部は、前記対象表示動作が行われる対象表示期間に前記注視点が前記特定領域及び前記比較領域に存在するか否かをそれぞれ判定し、
前記演算部は、判定結果に基づいて、前記対象表示期間における前記注視点の移動の経過を示す対象移動経過データを算出し、
前記評価部は、前記指示移動経過データと前記対象移動経過データとに基づいて、前記評価データを求める
請求項１又は請求項２に記載の評価装置。
【請求項４】
表示画面に画像を表示することと、
前記表示画面を観察する被験者の注視点の位置を検出することと、
前記被験者に注視させる課題対象物と、前記課題対象物に関する課題を解決するように前記被験者に指示する指示情報とを前記表示画面に表示する指示表示動作を行うことと、
前記課題対象物に対応した課題領域と、前記指示情報に対応した指示領域とを前記表示画面に設定することと、
前記注視点の位置データに基づいて、前記指示表示動作が行われる指示表示期間に前記注視点が前記課題領域及び前記指示領域に存在するか否かをそれぞれ判定することと、
判定結果に基づいて、前記指示表示期間における前記注視点の移動の経過を示す指示移動経過データを算出することと、
前記指示移動経過データに基づいて、前記被験者の評価データを求めることと
を含む評価方法。
【請求項５】
表示画面に画像を表示する処理と、
前記表示画面を観察する被験者の注視点の位置を検出する処理と、
前記被験者に注視させる課題対象物と、前記課題対象物に関する課題を解決するように前記被験者に指示する指示情報とを前記表示画面に表示する指示表示動作を行う処理と、
前記課題対象物に対応した課題領域と、前記指示情報に対応した指示領域とを前記表示画面に設定する処理と、
前記注視点の位置データに基づいて、前記指示表示動作が行われる指示表示期間に前記注視点が前記課題領域及び前記指示領域に存在するか否かをそれぞれ判定する処理と、
判定結果に基づいて、前記指示表示期間における前記注視点の移動の経過を示す指示移動経過データを算出する処理と、
前記指示移動経過データに基づいて、前記被験者の評価データを求める処理と
をコンピュータに実行させる評価プログラム。
【発明の詳細な説明】
【技術分野】
【０００１】
本発明は、評価装置、評価方法、及び評価プログラムに関する。
【背景技術】
【０００２】
近年、認知機能障害および脳機能障害が増加傾向にあるといわれており、このような認知機能障害および脳機能障害を早期に発見し、症状の重さを定量的に評価することが求められている。認知機能障害および脳機能障害の症状は、認知能力に影響することが知られている。このため、被験者の認知能力に基づいて被験者を評価することが行われている。例えば、複数種類の数字を表示し、その数字を被験者に加算させて答えを求めさせ、被験者の出した答えを確認する装置が提案されている（例えば、特許文献１参照）。
【先行技術文献】
【特許文献】
【０００３】
【特許文献１】特開２０１１−０８３４０３号公報
【発明の概要】
【発明が解決しようとする課題】
【０００４】
しかしながら、特許文献１等の方法では、被験者がタッチパネルの操作等により答えを選択する形態であるため、偶然性も含めて検証が困難であり、高い評価精度を得ることが難しかった。そのため、精度よく認知機能障害および脳機能障害を評価することが求められていた。
【０００５】
本発明は、上記に鑑みてなされたものであり、精度よく認知機能障害および脳機能障害の評価を行うことが可能な評価装置、評価方法、及び評価プログラムを提供することを目的とする。
【課題を解決するための手段】
【０００６】
本発明に係る評価装置は、画像を表示する表示画面と、前記表示画面を観察する被験者の注視点の位置を検出する注視点検出部と、前記被験者に注視させる課題対象物と、前記課題対象物に関する課題を解決するように前記被験者に指示する指示情報とを前記表示画面に表示する指示表示動作を行う表示制御部と、前記課題対象物に対応した課題領域と、前記指示情報に対応した指示領域とを前記表示画面に設定する領域設定部と、前記注視点の位置データに基づいて、前記指示表示動作が行われる指示表示期間に前記注視点が前記課題領域及び前記指示領域に存在するか否かをそれぞれ判定する判定部と、判定結果に基づいて、前記指示表示期間における前記注視点の移動の経過を示す指示移動経過データを算出する演算部と、前記指示移動経過データに基づいて、前記被験者の評価データを求める評価部とを備える。
【０００７】
本発明に係る評価方法は、表示画面に画像を表示することと、前記表示画面を観察する被験者の注視点の位置を検出することと、前記被験者に注視させる課題対象物と、前記課題対象物に関する課題を解決するように前記被験者に指示する指示情報とを前記表示画面に表示する指示表示動作を行うことと、前記課題対象物に対応した課題領域と、前記指示情報に対応した指示領域とを前記表示画面に設定することと、前記注視点の位置データに基づいて、前記指示表示動作が行われる指示表示期間に前記注視点が前記課題領域及び前記指示領域に存在するか否かをそれぞれ判定することと、判定結果に基づいて、前記指示表示期間における前記注視点の移動の経過を示す指示移動経過データを算出することと、前記指示移動経過データに基づいて、前記被験者の評価データを求めることとを含む。
【０００８】
本発明に係る評価プログラムは、表示画面に画像を表示する処理と、前記表示画面を観察する被験者の注視点の位置を検出する処理と、前記被験者に注視させる課題対象物と、前記課題対象物に関する課題を解決するように前記被験者に指示する指示情報とを前記表示画面に表示する指示表示動作を行う処理と、前記課題対象物に対応した課題領域と、前記指示情報に対応した指示領域とを前記表示画面に設定する処理と、前記注視点の位置データに基づいて、前記指示表示動作が行われる指示表示期間に前記注視点が前記課題領域及び前記指示領域に存在するか否かをそれぞれ判定する処理と、判定結果に基づいて、前記指示表示期間における前記注視点の移動の経過を示す指示移動経過データを算出する処理と、前記指示移動経過データに基づいて、前記被験者の評価データを求める処理とをコンピュータに実行させる。
【発明の効果】
【０００９】
本発明によれば、精度よく認知機能障害および脳機能障害の評価を行うことが可能な評価装置、評価方法、及び評価プログラムを提供することができる。
【図面の簡単な説明】
【００１０】
【図１】図１は、本実施形態に係る視線検出装置の一例を模式的に示す斜視図である。
【図２】図２は、本実施形態に係る視線検出装置のハードウェア構成の一例を示す図である。
【図３】図３は、本実施形態に係る視線検出装置の一例を示す機能ブロック図である。
【図４】図４は、本実施形態に係る角膜曲率中心の位置データの算出方法を説明するための模式図である。
【図５】図５は、本実施形態に係る角膜曲率中心の位置データの算出方法を説明するための模式図である。
【図６】図６は、本実施形態に係るキャリブレーション処理の一例を説明するための模式図である。
【図７】図７は、本実施形態に係る注視点検出処理の一例を説明するための模式図である。
【図８】図８は、指示表示動作において表示画面に表示する内容の一例を示す図である。
【図９】図９は、対象表示動作において表示画面に複数の対象物を表示する場合の一例を示す図である。
【図１０】図１０は、指示表示動作において表示画面に表示する内容の他の例を示す図である。
【図１１】図１１は、対象表示動作において表示画面に複数の対象物を表示する場合の他の例を示す図である。
【図１２】図１２は、指示表示動作において表示画面に表示する内容の他の例を示す図である。
【図１３】図１３は、対象表示動作において表示画面に複数の対象物を表示する場合の他の例を示す図である。
【図１４】図１４は、指示表示動作において表示画面に表示する内容の他の例を示す図である。
【図１５】図１５は、対象表示動作において表示画面に複数の対象物を表示する場合の他の例を示す図である。
【図１６】図１６は、指示表示動作における評価方法の一例を示すフローチャートである。
【図１７】図１７は、対象表示動作における評価方法の一例を示すフローチャートである。
【発明を実施するための形態】
【００１１】
以下、本発明に係る評価装置、評価方法、及び評価プログラムの実施形態を図面に基づいて説明する。なお、この実施形態によりこの発明が限定されるものではない。また、下記実施形態における構成要素には、当業者が置換可能かつ容易なもの、あるいは実質的に同一のものが含まれる。
【００１２】
以下の説明においては、三次元グローバル座標系を設定して各部の位置関係について説明する。所定面の第１軸と平行な方向をＸ軸方向とし、第１軸と直交する所定面の第２軸と平行な方向をＹ軸方向とし、第１軸及び第２軸のそれぞれと直交する第３軸と平行な方向をＺ軸方向とする。所定面はＸＹ平面を含む。
【００１３】
［視線検出装置］
図１は、第１実施形態に係る視線検出装置１００の一例を模式的に示す斜視図である。視線検出装置１００は、認知機能障害および脳機能障害の評価を行う評価装置として用いられる。図１に示すように、視線検出装置１００は、表示装置１０１と、ステレオカメラ装置１０２と、照明装置１０３とを備える。
【００１４】
表示装置１０１は、液晶ディスプレイ（liquid  crystal  display：ＬＣＤ）又は有機ＥＬディスプレイ（organic  electroluminescence  display：ＯＬＥＤ）のようなフラットパネルディスプレイを含む。本実施形態において、表示装置１０１は、表示画面１０１Ｓを有する。表示画面１０１Ｓは、画像を表示する。本実施形態において、表示画面１０１Ｓは、例えば被験者の視機能を評価するための指標を表示する。表示画面１０１Ｓは、ＸＹ平面と実質的に平行である。Ｘ軸方向は表示画面１０１Ｓの左右方向であり、Ｙ軸方向は表示画面１０１Ｓの上下方向であり、Ｚ軸方向は表示画面１０１Ｓと直交する奥行方向である。
【００１５】
ステレオカメラ装置１０２は、第１カメラ１０２Ａ及び第２カメラ１０２Ｂを有する。ステレオカメラ装置１０２は、表示装置１０１の表示画面１０１Ｓよりも下方に配置される。第１カメラ１０２Ａと第２カメラ１０２ＢとはＸ軸方向に配置される。第１カメラ１０２Ａは、第２カメラ１０２Ｂよりも−Ｘ方向に配置される。第１カメラ１０２Ａ及び第２カメラ１０２Ｂはそれぞれ、赤外線カメラを含み、例えば波長８５０［ｎｍ］の近赤外光を透過可能な光学系と、その近赤外光を受光可能な撮像素子とを有する。
【００１６】
照明装置１０３は、第１光源１０３Ａ及び第２光源１０３Ｂを有する。照明装置１０３は、表示装置１０１の表示画面１０１Ｓよりも下方に配置される。第１光源１０３Ａと第２光源１０３ＢとはＸ軸方向に配置される。第１光源１０３Ａは、第１カメラ１０２Ａよりも−Ｘ方向に配置される。第２光源１０３Ｂは、第２カメラ１０２Ｂよりも＋Ｘ方向に配置される。第１光源１０３Ａ及び第２光源１０３Ｂはそれぞれ、ＬＥＤ（light  emitting  diode）光源を含み、例えば波長８５０［ｎｍ］の近赤外光を射出可能である。なお、第１光源１０３Ａ及び第２光源１０３Ｂは、第１カメラ１０２Ａと第２カメラ１０２Ｂとの間に配置されてもよい。
【００１７】
照明装置１０３は、検出光である近赤外光を射出して、被験者の眼球１１１を照明する。ステレオカメラ装置１０２は、第１光源１０３Ａから射出された検出光が眼球１１１に照射されたときに第２カメラ１０２Ｂで眼球１１１の一部（以下、これを含めて「眼球」とする）を撮影し、第２光源１０３Ｂから射出された検出光が眼球１１１に照射されたときに第１カメラ１０２Ａで眼球１１１を撮影する。
【００１８】
第１カメラ１０２Ａ及び第２カメラ１０２Ｂの少なくとも一方からフレーム同期信号が出力される。第１光源１０３Ａ及び第２光源１０３Ｂは、フレーム同期信号に基づいて検出光を射出する。第１カメラ１０２Ａは、第２光源１０３Ｂから射出された検出光が眼球１１１に照射されたときに、眼球１１１の画像データを撮影する。第２カメラ１０２Ｂは、第１光源１０３Ａから射出された検出光が眼球１１１に照射されたときに、眼球１１１の画像データを撮影する。
【００１９】
眼球１１１に検出光が照射されると、その検出光の一部は瞳孔１１２で反射し、その瞳孔１１２からの光がステレオカメラ装置１０２に入射する。また、眼球１１１に検出光が照射されると、角膜の虚像である角膜反射像１１３が眼球１１１に形成され、その角膜反射像１１３からの光がステレオカメラ装置１０２に入射する。
【００２０】
第１カメラ１０２Ａ及び第２カメラ１０２Ｂと第１光源１０３Ａ及び第２光源１０３Ｂとの相対位置が適切に設定されることにより、瞳孔１１２からステレオカメラ装置１０２に入射する光の強度は低くなり、角膜反射像１１３からステレオカメラ装置１０２に入射する光の強度は高くなる。すなわち、ステレオカメラ装置１０２で撮影される瞳孔１１２の画像は低輝度となり、角膜反射像１１３の画像は高輝度となる。ステレオカメラ装置１０２は、撮影される画像の輝度に基づいて、瞳孔１１２の位置及び角膜反射像１１３の位置を検出することができる。
【００２１】
図２は、本実施形態に係る視線検出装置１００のハードウェア構成の一例を示す図である。図２に示すように、視線検出装置１００は、表示装置１０１と、ステレオカメラ装置１０２と、照明装置１０３と、コンピュータシステム２０と、入出力インターフェース装置３０と、駆動回路４０と、出力装置５０と、入力装置６０とを備える。
【００２２】
コンピュータシステム２０と、駆動回路４０と、出力装置５０と、入力装置６０とは、入出力インターフェース装置３０を介してデータ通信する。コンピュータシステム２０は、演算処理装置２０Ａ及び記憶装置２０Ｂを含む。演算処理装置２０Ａは、ＣＰＵ（central  processing  unit）のようなマイクロプロセッサを含む。記憶装置２０Ｂは、ＲＯＭ（read  only  memory）及びＲＡＭ（random  access  memory）のようなメモリ又はストレージを含む。演算処理装置２０Ａは、記憶装置２０Ｂに記憶されているコンピュータプログラム２０Ｃに従って演算処理を実施する。
【００２３】
駆動回路４０は、駆動信号を生成して、表示装置１０１、ステレオカメラ装置１０２、及び照明装置１０３に出力する。また、駆動回路４０は、ステレオカメラ装置１０２で撮影された眼球１１１の画像データを、入出力インターフェース装置３０を介してコンピュータシステム２０に供給する。
【００２４】
出力装置５０は、フラットパネルディスプレイのような表示装置を含む。なお、出力装置５０は、印刷装置を含んでもよい。入力装置６０は、操作されることにより入力データを生成する。入力装置６０は、コンピュータシステム用のキーボード又はマウスを含む。なお、入力装置６０が表示装置である出力装置５０の表示画面に設けられたタッチセンサを含んでもよい。
【００２５】
本実施形態においては、表示装置１０１とコンピュータシステム２０とは別々の装置である。なお、表示装置１０１とコンピュータシステム２０とが一体でもよい。例えば視線検出装置１００がタブレット型パーソナルコンピュータを含む場合、そのタブレット型パーソナルコンピュータに、コンピュータシステム２０、入出力インターフェース装置３０、駆動回路４０、及び表示装置１０１が搭載されてもよい。
【００２６】
図３は、本実施形態に係る視線検出装置１００の一例を示す機能ブロック図である。図３に示すように、入出力インターフェース装置３０は、入出力部３０２を有する。駆動回路４０は、表示装置１０１を駆動するための駆動信号を生成して表示装置１０１に出力する表示装置駆動部４０２と、第１カメラ１０２Ａを駆動するための駆動信号を生成して第１カメラ１０２Ａに出力する第１カメラ入出力部４０４Ａと、第２カメラ１０２Ｂを駆動するための駆動信号を生成して第２カメラ１０２Ｂに出力する第２カメラ入出力部４０４Ｂと、第１光源１０３Ａ及び第２光源１０３Ｂを駆動するための駆動信号を生成して第１光源１０３Ａ及び第２光源１０３Ｂに出力する光源駆動部４０６とを有する。また、第１カメラ入出力部４０４Ａは、第１カメラ１０２Ａで撮影された眼球１１１の画像データを、入出力部３０２を介してコンピュータシステム２０に供給する。第２カメラ入出力部４０４Ｂは、第２カメラ１０２Ｂで撮影された眼球１１１の画像データを、入出力部３０２を介してコンピュータシステム２０に供給する。
【００２７】
コンピュータシステム２０は、視線検出装置１００を制御する。コンピュータシステム２０は、表示制御部２０２と、光源制御部２０４と、画像データ取得部２０６と、入力データ取得部２０８と、位置検出部２１０と、曲率中心算出部２１２と、注視点検出部２１４と、領域設定部２１６と、判定部２１８と、演算部２２０と、記憶部２２２と、評価部２２４と、出力制御部２２６とを有する。コンピュータシステム２０の機能は、演算処理装置２０Ａ及び記憶装置２０Ｂによって発揮される。
【００２８】
表示制御部２０２は、被験者に注視させる課題対象物と、課題対象物に関する課題を解決するように被験者に指示する指示情報とを表示画面１０１Ｓに表示する指示表示動作を行う。表示制御部２０２は、指示表示動作において、当該指示表示動作の後に表示画面１０１Ｓに表示される複数の対象物の中から課題に対して正解となる対象物を注視するよう指示する情報を指示情報に含ませて表示画面に表示する。表示制御部２０２は、指示表示動作の後に、指示情報に対して正解となる特定対象物と、特定対象物とは異なる比較対象物とを複数の対象物として表示画面１０１Ｓに表示する対象表示動作を行う。
【００２９】
指示情報は、表示画面１０１Ｓに表示可能な文字、図形等を含む。課題としては、例えば課題対象物を被験者に記憶させ、記憶した課題対象物と同一の対象物を選択させる課題等が挙げられる。上記の指示情報、課題対象物、特定対象物及び比較対象物は、例えば被験者に視認させる評価用映像又は評価用画像に含まれている。表示制御部２０２は、このような評価用映像又は評価用画像を表示画面１０１Ｓに表示する。なお、指示情報は、文字を用いた文章等の態様に限定されない。指示情報は、被験者に課題が伝達可能であれば、例えば図形の組み合わせ等、文字を用いない態様であってもよい。
【００３０】
光源制御部２０４は、光源駆動部４０６を制御して、第１光源１０３Ａ及び第２光源１０３Ｂの作動状態を制御する。光源制御部２０４は、第１光源１０３Ａと第２光源１０３Ｂとが異なるタイミングで検出光を射出するように第１光源１０３Ａ及び第２光源１０３Ｂを制御する。
【００３１】
画像データ取得部２０６は、第１カメラ１０２Ａ及び第２カメラ１０２Ｂを含むステレオカメラ装置１０２によって撮影された被験者の眼球１１１の画像データを、入出力部３０２を介してステレオカメラ装置１０２から取得する。
【００３２】
入力データ取得部２０８は、入力装置６０が操作されることにより生成された入力データを、入出力部３０２を介して入力装置６０から取得する。
【００３３】
位置検出部２１０は、画像データ取得部２０６で取得された眼球１１１の画像データに基づいて、瞳孔中心の位置データを検出する。また、位置検出部２１０は、画像データ取得部２０６で取得された眼球１１１の画像データに基づいて、角膜反射中心の位置データを検出する。瞳孔中心は、瞳孔１１２の中心である。角膜反射中心は、角膜反射像１１３の中心である。位置検出部２１０は、被験者の左右それぞれの眼球１１１について、瞳孔中心の位置データ及び角膜反射中心の位置データを検出する。
【００３４】
曲率中心算出部２１２は、画像データ取得部２０６で取得された眼球１１１の画像データに基づいて、眼球１１１の角膜曲率中心の位置データを算出する。
【００３５】
注視点検出部２１４は、画像データ取得部２０６で取得された眼球１１１の画像データに基づいて、被験者の注視点の位置データを検出する。本実施形態において、注視点の位置データとは、三次元グローバル座標系で規定される被験者の視線ベクトルと表示装置１０１の表示画面１０１Ｓとの交点の位置データをいう。注視点検出部２１４は、眼球１１１の画像データから取得された瞳孔中心の位置データ及び角膜曲率中心の位置データに基づいて、被験者の左右それぞれの眼球１１１の視線ベクトルを検出する。視線ベクトルが検出された後、注視点検出部２１４は、視線ベクトルと表示画面１０１Ｓとの交点を示す注視点の位置データを検出する。
【００３６】
領域設定部２１６は、指示表示動作が行われる指示表示期間において、課題対象物に対応した課題領域と、指示情報に対応した指示領域とを表示画面１０１Ｓに設定する。また、領域設定部２１６は、対象表示動作が行われる対象表示期間において、特定対象物に対応した特定領域と、比較対象物に対応した比較領域とを表示画面１０１Ｓに設定する。
【００３７】
判定部２１８は、指示表示期間において、視点の位置データに基づいて、注視点が課題領域及び指示領域に存在するか否かをそれぞれ判定し、判定データを出力する。また、判定部２１８は、対象表示期間において、視点の位置データに基づいて、注視点が特定領域及び比較領域に存在するか否かをそれぞれ判定し、判定データを出力する。判定部２１８は、例えば一定時間毎に注視点が特定領域及び比較領域に存在するか否かを判定する。一定時間としては、例えば第１カメラ１０２Ａ及び第２カメラ１０２Ｂから出力されるフレーム同期信号の周期（例えば２０［ｍｓｅｃ］毎）とすることができる。
【００３８】
演算部２２０は、判定部２１８の判定データに基づいて、指示表示期間における注視点の移動の経過を示す指示移動経過データを算出する。また、演算部２２０は、判定部２１８の判定データに基づいて、対象表示期間における注視点の移動の経過を示す対象移動経過データを算出する。
【００３９】
指示移動経過データは、指示表示期間に注視点が課題領域に存在した存在時間を示す第１存在時間データと、指示表示期間に注視点が指示領域に存在した存在時間を示す第２存在時間データと、指示表示期間の開始時点から注視点が課題領域に到達した到達時点までの時間を示す指示到達時間データと、課題領域と指示領域との間で注視点の位置が移動する回数を示す指示移動回数データと、を含む。
【００４０】
対象移動経過データは、対象表示期間の開始時点から注視点が特定領域に到達した到達時点までの時間を示す対象到達時間データと、注視点が最初に特定領域に到達するまでに複数の比較領域の間で注視点の位置が移動する回数を示す対象移動回数データと、表示期間に注視点が特定領域に存在した存在時間を示す対象存在時間データと、特定領域及び比較領域のうち表示時間において注視点が最後に存在していた領域を示す最終領域データと、を含む。
【００４１】
なお、演算部２２０は、映像の再生時間を管理する管理タイマと、表示画面１０１Ｓに映像が表示されてからの経過時間を検出する検出タイマＴ１を有する。演算部２２０は、特定領域について、注視点が存在すると判定された判定回数をカウントするカウンタを有する。
【００４２】
評価部２２４は、指示移動経過データに基づいて、被験者の評価データを求める。また、評価部２２４は、指示移動経過データ及び対象移動経過データに基づいて、被験者の評価データを求めることが可能である。評価データは、指示表示動作において、表示画面１０１Ｓに表示される課題対象物および指示情報を被験者が注視できているかを評価するデータを含む。また、評価データは、対象表示動作において、表示画面１０１Ｓに表示される特定対象物および比較対象物を被験者が注視できているかを評価するデータを含む。
【００４３】
記憶部２２２は、上記の判定データ、指示移動経過データ（第１存在時間データ、第２存在時間データ、指示到達時間データ、指示移動回数データ）、対象移動経過データ（対象存在時間データ、対象移動回数データ、最終領域データ、対象到達時間データ）、及び評価データを記憶する。また、記憶部２２２は、表示画面１０１Ｓに画像を表示する処理と、表示画面１０１Ｓを観察する被験者の注視点の位置を検出する処理と、被験者に注視させる課題対象物と、課題対象物に関する課題を解決するように被験者に指示する指示情報とを表示画面１０１Ｓに表示する指示表示動作を行う処理と、課題対象物に対応した課題領域と、指示情報に対応した指示領域とを表示画面１０１Ｓに設定する処理と、注視点の位置データに基づいて、指示表示動作が行われる指示表示期間に注視点が課題領域及び指示領域に存在するか否かをそれぞれ判定する処理と、判定結果に基づいて、指示表示期間における注視点の移動の経過を示す指示移動経過データを算出する処理と、指示移動経過データに基づいて、被験者の評価データを求める処理とをコンピュータに実行させる評価プログラムを記憶する。
【００４４】
出力制御部２２６は、表示装置１０１及び出力装置５０の少なくとも一方にデータを出力する。
【００４５】
次に、本実施形態に係る曲率中心算出部２１２の処理の概要について説明する。曲率中心算出部２１２は、眼球１１１の画像データに基づいて、眼球１１１の角膜曲率中心の位置データを算出する。図４及び図５は、本実施形態に係る角膜曲率中心１１０の位置データの算出方法を説明するための模式図である。図４は、１つの光源１０３Ｃで眼球１１１が照明される例を示す。図５は、第１光源１０３Ａ及び第２光源１０３Ｂで眼球１１１が照明される例を示す。
【００４６】
まず、図４に示す例について説明する。光源１０３Ｃは、第１カメラ１０２Ａと第２カメラ１０２Ｂとの間に配置される。瞳孔中心１１２Ｃは、瞳孔１１２の中心である。角膜反射中心１１３Ｃは、角膜反射像１１３の中心である。図４において、瞳孔中心１１２Ｃは、眼球１１１が１つの光源１０３Ｃで照明されたときの瞳孔中心を示す。角膜反射中心１１３Ｃは、眼球１１１が１つの光源１０３Ｃで照明されたときの角膜反射中心を示す。角膜反射中心１１３Ｃは、光源１０３Ｃと角膜曲率中心１１０とを結ぶ直線上に存在する。角膜反射中心１１３Ｃは、角膜表面と角膜曲率中心１１０との中間点に位置付けられる。角膜曲率半径１０９は、角膜表面と角膜曲率中心１１０との距離である。角膜反射中心１１３Ｃの位置データは、ステレオカメラ装置１０２によって検出される。角膜曲率中心１１０は、光源１０３Ｃと角膜反射中心１１３Ｃとを結ぶ直線上に存在する。曲率中心算出部２１２は、その直線上において角膜反射中心１１３Ｃからの距離が所定値となる位置データを、角膜曲率中心１１０の位置データとして算出する。所定値は、一般的な角膜の曲率半径値などから事前に定められた値であり、記憶部２２２に記憶されている。
【００４７】
次に、図５に示す例について説明する。本実施形態においては、第１カメラ１０２Ａ及び第２光源１０３Ｂと、第２カメラ１０２Ｂ及び第１光源１０３Ａとは、第１カメラ１０２Ａと第２カメラ１０２Ｂとの中間位置を通る直線に対して左右対称の位置に配置される。第１カメラ１０２Ａと第２カメラ１０２Ｂとの中間位置に仮想光源１０３Ｖが存在するとみなすことができる。角膜反射中心１２１は、第２カメラ１０２Ｂで眼球１１１を撮影した画像における角膜反射中心を示す。角膜反射中心１２２は、第１カメラ１０２Ａで眼球１１１を撮影した画像における角膜反射中心を示す。角膜反射中心１２４は、仮想光源１０３Ｖに対応する角膜反射中心を示す。角膜反射中心１２４の位置データは、ステレオカメラ装置１０２で撮影された角膜反射中心１２１の位置データ及び角膜反射中心１２２の位置データに基づいて算出される。ステレオカメラ装置１０２は、ステレオカメラ装置１０２に規定される三次元ローカル座標系において角膜反射中心１２１の位置データ及び角膜反射中心１２２の位置データを検出する。ステレオカメラ装置１０２について、事前にステレオ較正法によるカメラ較正が実施され、ステレオカメラ装置１０２の三次元ローカル座標系を三次元グローバル座標系に変換する変換パラメータが算出される。その変換パラメータは、記憶部２２２に記憶されている。曲率中心算出部２１２は、ステレオカメラ装置１０２で撮影された角膜反射中心１２１の位置データ及び角膜反射中心１２２の位置データを、変換パラメータを使って、三次元グローバル座標系における位置データに変換する。曲率中心算出部２１２は、三次元グローバル座標系で規定される角膜反射中心１２１の位置データ及び角膜反射中心１２２の位置データに基づいて、三次元グローバル座標系における角膜反射中心１２４の位置データを算出する。角膜曲率中心１１０は、仮想光源１０３Ｖと角膜反射中心１２４とを結ぶ直線１２３上に存在する。曲率中心算出部２１２は、直線１２３上において角膜反射中心１２４からの距離が所定値となる位置データを、角膜曲率中心１１０の位置データとして算出する。所定値は、一般的な角膜の曲率半径値などから事前に定められた値であり、記憶部２２２に記憶されている。
【００４８】
このように、光源が２つある場合でも、光源が１つである場合の方法と同様の方法で、角膜曲率中心１１０が算出される。
【００４９】
角膜曲率半径１０９は、角膜表面と角膜曲率中心１１０との距離である。したがって、角膜表面の位置データ及び角膜曲率中心１１０の位置データが算出されることにより、角膜曲率半径１０９が算出される。
【００５０】
次に、本実施形態に係る視線検出方法の一例について説明する。図６は、本実施形態に係るキャリブレーション処理の一例を説明するための模式図である。キャリブレーション処理では、被験者に注視させるため、目標位置１３０が設定される。目標位置１３０は、三次元グローバル座標系において規定される。本実施形態において、目標位置１３０は、例えば表示装置１０１の表示画面１０１Ｓの中央位置に設定される。なお、目標位置１３０は、表示画面１０１Ｓの端部位置に設定されてもよい。出力制御部２２６は、設定された目標位置１３０に目標画像を表示する。直線１３１は、仮想光源１０３Ｖと角膜反射中心１１３Ｃとを結ぶ直線である。直線１３２は、目標位置１３０と瞳孔中心１１２Ｃとを結ぶ直線である。角膜曲率中心１１０は、直線１３１と直線１３２との交点である。曲率中心算出部２１２は、仮想光源１０３Ｖの位置データと、目標位置１３０の位置データと、瞳孔中心１１２Ｃの位置データと、角膜反射中心１１３Ｃの位置データとに基づいて、角膜曲率中心１１０の位置データを算出することができる。
【００５１】
次に、注視点検出処理について説明する。注視点検出処理は、キャリブレーション処理の後に実施される。注視点検出部２１４は、眼球１１１の画像データに基づいて、被験者の視線ベクトル及び注視点の位置データを算出する。図７は、本実施形態に係る注視点検出処理の一例を説明するための模式図である。図７において、注視点１６５は、一般的な曲率半径値を用いて算出された角膜曲率中心から求めた注視点を示す。注視点１６６は、キャリブレーション処理で求められた距離１２６を用いて算出された角膜曲率中心から求めた注視点を示す。瞳孔中心１１２Ｃは、キャリブレーション処理において算出された瞳孔中心を示し、角膜反射中心１１３Ｃは、キャリブレーション処理において算出された角膜反射中心を示す。直線１７３は、仮想光源１０３Ｖと角膜反射中心１１３Ｃとを結ぶ直線である。角膜曲率中心１１０は、一般的な曲率半径値から算出した角膜曲率中心の位置である。距離１２６は、キャリブレーション処理により算出した瞳孔中心１１２Ｃと角膜曲率中心１１０との距離である。角膜曲率中心１１０Ｈは、距離１２６を用いて角膜曲率中心１１０を補正した補正後の角膜曲率中心の位置を示す。角膜曲率中心１１０Ｈは、角膜曲率中心１１０が直線１７３上に存在すること、及び瞳孔中心１１２Ｃと角膜曲率中心１１０との距離が距離１２６であることから求められる。これにより、一般的な曲率半径値を用いる場合に算出される視線１７７は、視線１７８に補正される。また、表示装置１０１の表示画面１０１Ｓ上の注視点は、注視点１６５から注視点１６６に補正される。
【００５２】
［評価方法］  
次に、本実施形態に係る評価方法について説明する。本実施形態に係る評価方法では、上記の視線検出装置１００を用いることにより、被験者の認知機能障害および脳機能障害を評価する。
【００５３】
図８は、指示表示動作において表示画面１０１Ｓに表示する内容の一例を示す図である。図８に示すように、表示制御部２０２は、指示表示動作において、被験者に注視させる課題対象物Ｍ０１と、課題対象物Ｍ０１に関する課題を解決するように被験者に指示する指示情報Ｉ１とを表示画面１０１Ｓに表示する。この場合、課題対象物Ｍ０１の図形を記憶し、記憶した課題対象物Ｍ０１と同一の対象物を選択させる、という内容の課題が例として示されている。表示制御部２０２は、課題対象物Ｍ０１と指示情報Ｉ１とが重ならないように表示画面１０１Ｓに表示する。
【００５４】
指示表示動作が行われる指示表示期間において、領域設定部２１６は、例えば課題対象物Ｍ０１を含む矩形の範囲に課題領域Ａを設定する。また、領域設定部２１６は、例えば指示情報Ｉ１を含む矩形の範囲に指示領域Ｂを設定する。領域設定部２１６は、課題領域Ａと指示領域Ｂとが重ならないように表示画面１０１Ｓに設定する。なお、課題領域Ａ、指示領域Ｂの形状については、矩形に限定されず、円形、楕円形、多角形等、他の形状であってもよい。
【００５５】
図９は、対象表示動作において表示画面１０１Ｓに複数の対象物を表示する場合の一例を示す図である。表示制御部２０２は、指示表示動作を所定期間行った後、対象表示動作として、図９に示すように、指示情報Ｉ１に対して正解となる特定対象物Ｍ１と指示情報Ｉ１に対して不正解となる複数の比較対象物Ｍ２〜Ｍ４を表示画面１０１Ｓに表示する。
【００５６】
比較対象物Ｍ２〜Ｍ４は、特定対象物Ｍ１と類似する形状を有してもよいし、特定対象物Ｍ１とは非類似の形状を有してもよい。図９に示す例では、比較対象物Ｍ２は台形と円形とを組み合わせた形状、比較対象物Ｍ３は正方形と円形を組み合わせた形状、比較対象物Ｍ４は円形と正六角形とを組み合わせた形状をそれぞれ有している。表示制御部２０２は、特定対象物Ｍ１と比較対象物Ｍ２〜Ｍ４とを含む複数の対象物を表示画面１０１Ｓに表示することにより、被験者に特定対象物Ｍ１を見つけさせると共に、見つけさせた特定対象物Ｍ１を注視させる。
【００５７】
なお、図９では、表示画面１０１Ｓにおいて、例えば計測後に結果表示される注視点Ｐの一例を示しているが、当該注視点Ｐは、実際には表示画面１０１Ｓには表示されない。注視点の位置データの検出は、例えば第１カメラ１０２Ａ及び第２カメラ１０２Ｂから出力されるフレーム同期信号の周期で（例えば２０［ｍｓｅｃ］毎に）実施される。第１カメラ１０２Ａ及び第２カメラ１０２Ｂは、同期して撮像する。
【００５８】
対象表示動作が行われる対象表示期間において、領域設定部２１６は、特定対象物Ｍ１に対応した特定領域Ａ１を設定する。また、領域設定部２１６は、比較対象物Ｍ２〜Ｍ４のそれぞれに対応した比較領域Ａ２〜Ａ４を設定する。なお、特定領域Ａ１及び比較領域Ａ２〜Ａ４は、表示画面１０１Ｓには表示されない。
【００５９】
領域設定部２１６は、例えば特定対象物Ｍ１を含む矩形の範囲に特定領域Ａ１を設定する。同様に、領域設定部２１６は、例えば比較対象物Ｍ２〜Ｍ４を含む矩形の範囲にそれぞれ比較領域Ａ２〜Ａ４を設定する。なお、特定領域Ａ１、比較領域Ａ２〜Ａ４の形状については、矩形に限定されず、円形、楕円形、多角形等、他の形状であってもよい。表示制御部２０２は、特定領域Ａ１と比較領域Ａ２〜Ａ４とが重ならないように表示画面１０１Ｓに設定する。
【００６０】
認知機能障害および脳機能障害の症状は、被験者の認知能力及び記憶力に影響することが知られている。被験者が認知機能障害および脳機能障害ではない場合、指示表示動作において表示画面１０１Ｓに表示される指示情報Ｉ１を見た後、指示情報Ｉ１が示す課題対象物Ｍ０１を注視して課題対象物Ｍ０１の形状を記憶しようとする。また、被験者が認知機能障害および脳機能障害ではない場合、対象表示動作において表示画面１０１Ｓに表示される比較対象物Ｍ２〜Ｍ４を１つ１つ見て、指示表示動作において記憶した特定対象物Ｍ１と比べた上で同一ではないと判定し、最終的には特定対象物Ｍ１を発見して注視することができる。
【００６１】
これに対して、被験者が認知機能障害および脳機能障害である場合、指示表示動作において指示情報Ｉ１を見続けたり、指示情報Ｉ１と課題対象物Ｍ０１とを交互に見たりして、課題対象物Ｍ０１を集中して見ない傾向にある。また、被験者が認知機能障害および脳機能障害である場合、指示表示動作において特定対象物Ｍ１を記憶することができないことがあり、または記憶しても直ぐに忘れてしまうことがある。そのため、対象表示動作において上記のような比較ができず、特定対象物Ｍ１を注視できないことがある。
【００６２】
また、対象表示動作において複数の対象物Ｍ１、Ｍ２、Ｍ３、Ｍ４を表示画面１０１Ｓに表示する方式では、対象表示動作の開始時に、被験者の注視点が正解である特定対象物Ｍ１等に偶然配置されてしまう場合がある。このような場合、被験者が認知機能障害および脳機能障害であるか否かに関わらず正解として判定される可能性があるため、被験者を高精度に評価することが困難となる。このため、例えば以下の手順を行うことにより、被験者を評価することが可能である。
【００６３】
まず、指示表示動作として、表示画面１０１Ｓに課題対象物Ｍ０１及び指示情報Ｉ１を表示させる。この場合に、被験者が表示画面１０１Ｓに表示される指示情報Ｉ１を見た後、指示情報Ｉ１が示す課題対象物Ｍ０１を注視して課題対象物Ｍ０１の形状を記憶しようとしているか否かの観点から被験者を評価することが可能である。また、逆に指示表示動作において被験者が指示情報Ｉ１を見続けたりしていないか、指示情報Ｉ１と課題対象物Ｍ０１とを交互に見たりしていないか、課題対象物Ｍ０１を集中して見ないことはないか、という観点から被験者を評価することが可能である。
【００６４】
また、対象表示動作として、表示画面１０１Ｓに特定対象物Ｍ１と複数の比較対象物Ｍ２〜Ｍ４とを表示させた状態とする。この場合に、被験者が複数の比較対象物Ｍ２〜Ｍ４を１つ１つ注視しているか否か、被験者が最終的に正解となる特定対象物Ｍ１に到達できるか否か、被験者が特定対象物Ｍ１に到達するまでに要する時間の長さはどれだけか、被験者が特定対象物Ｍ１を注視できているか否か、等の観点から被験者を評価することが可能である。
【００６５】
例えば、指示表示動作において、被験者の注視点Ｐの位置データが検出された場合、判定部２１８は、被験者の注視点が課題領域Ａ及び指示領域Ｂに存在するかを判定し、判定データを出力する。
【００６６】
演算部２２０は、判定データに基づいて、指示表示期間における注視点Ｐの移動の経過を示す指示移動経過データを算出する。演算部２２０は、指示移動経過データとして、第１存在時間データと、第２存在時間データと、指示到達時間データと、指示移動回数データとを算出する。
【００６７】
第１存在時間データは、注視点Ｐが課題領域Ａに存在した存在時間を示す。本実施形態では、判定部２１８により注視点が課題領域Ａに存在すると判定された回数が多いほど、課題領域Ａに注視点Ｐが存在した存在時間が長いと推定することができる。したがって、第１存在時間データは、課題領域Ａに注視点が存在すると判定部２１８に判定された回数とすることができる。つまり、演算部２２０は、カウンタにおけるカウント値ＣＮＴＡを第１存在時間データとすることができる。
【００６８】
第２存在時間データは、注視点Ｐが指示領域Ｂに存在した存在時間を示す。本実施形態では、判定部２１８により注視点が指示領域Ｂに存在すると判定された回数が多いほど、指示領域Ｂに注視点Ｐが存在した存在時間が長いと推定することができる。したがって、第２存在時間データは、指示領域Ｂに注視点が存在すると判定部２１８に判定された回数とすることができる。つまり、演算部２２０は、カウンタにおけるカウント値ＣＮＴＢを第１存在時間データとすることができる。
【００６９】
指示到達時間データは、指示表示期間の開始時点から注視点が課題領域Ａに最初に到達した到達時点までの時間を示す。したがって、演算部２２０は、指示表示期間の開始からの経過時間をタイマＴ１によって測定し、注視点が最初に課題領域Ａに到達した時点でフラグ値を１としてタイマＴ１の測定値を検出することで、当該タイマＴ１の検出結果を指示到達時間データとすることができる。
【００７０】
指示移動回数データは、注視点Ｐが課題領域Ａと指示領域Ｂとの間で移動する移動回数を示す。したがって、演算部２２０は、課題領域Ａ及び指示領域Ｂの領域間で注視点Ｐが何回移動したかをカウントし、カウント結果を指示移動回数データとすることができる。
【００７１】
指示表示動作について、評価部２２４は、第１存在時間データ、第２存在時間データ、指示到達時間データ及び指示移動回数データに基づいて評価データを求める。
【００７２】
ここで、第１存在時間データのデータ値をＤ１１、第２存在時間データのデータ値をＤ１２、指示到達時間データのデータ値をＤ１３、指示移動回数データのデータ値をＤ１４とする。ただし、第１存在時間データのデータ値Ｄ１１は、課題領域Ａに注視点Ｐが存在した秒数とし、所定の上限値α以上の場合にはαとする。また、第２存在時間データのデータ値Ｄ１２は、上記の値αから指示領域Ｂに注視点Ｐが存在した秒数を減じた値とする。また、指示到達時間データのデータ値Ｄ１３は、到達時間の逆数（例えば、１／（到達時間）÷１０）（１０：到達時間の最小値を０．１秒として到達時間評価値を１以下とするための係数）とする。また、指示移動回数データのデータ値Ｄ１４は、１からカウンタ値を減じた値とする。なお、データ値Ｄ１４を算出する場合、１から減じるカウンタ値には、上限を設けてもよい。
【００７３】
この場合、評価値ＡＮＳは、例えば、
ＡＮＳ１＝Ｄ１１・Ｋ１１＋Ｄ１２・Ｋ１２＋Ｄ１３・Ｋ１３＋Ｄ１４・Ｋ１４
と表すことができる。なお、Ｋ１１〜Ｋ１４は、重みづけのための定数である。定数Ｋ１１〜Ｋ１４については、適宜設定することができる。
【００７４】
上記式で示される評価値ＡＮＳ１は、第１存在時間データのデータ値Ｄ１１が大きい場合、第２存在時間データのデータ値Ｄ１２が大きい場合、指示到達時間データのデータ値Ｄ１３が大きい場合、指示移動回数データのデータ値Ｄ１４が大きい場合に、値が大きくなる。つまり、課題領域Ａにおける注視点Ｐの存在時間が長く、指示領域Ｂにおける注視点Ｐの存在時間が短く、指示表示期間の開始時点から課題領域Ａに注視点Ｐが到達する到達時間が短く、注視点Ｐが課題領域Ａと指示領域Ｂとの間を移動する移動回数が少ないほど、評価値ＡＮＳ１が大きくなる。
【００７５】
一方、評価値ＡＮＳ１は、第１存在時間データのデータ値Ｄ１１が小さい場合、第２存在時間データのデータ値Ｄ１２が小さい場合、指示到達時間データのデータ値Ｄ１３が小さい場合、指示移動回数データのデータ値Ｄ１４が小さい場合に、値が小さくなる。つまり、課題領域Ａにおける注視点Ｐの存在時間が短く、指示領域Ｂにおける注視点Ｐの存在時間が長く、指示表示期間の開始時点から課題領域Ａに注視点Ｐが到達する到達時間が長く、注視点Ｐが課題領域Ａと指示領域Ｂとの間を移動する移動回数が多いほど、評価値ＡＮＳ１が小さくなる。
【００７６】
したがって、評価部２２４は、評価値ＡＮＳ１が所定値以上か否かを判断することで評価データを求めることができる。例えば評価値ＡＮＳ１が所定値以上である場合、被験者が認知機能障害および脳機能障害である可能性は低いと評価することができる。また、評価値ＡＮＳ１が所定値未満である場合、被験者が認知機能障害および脳機能障害である可能性は高いと評価することができる。
【００７７】
また、例えば対象表示動作において、被験者の注視点Ｐの位置データが検出された場合、判定部２１８は、被験者の注視点が特定領域Ａ１、及び複数の比較領域Ａ２〜Ａ４に存在するかを判定し、判定データを出力する。
【００７８】
演算部２２０は、判定データに基づいて、対象表示期間における注視点Ｐの移動の経過を示す対象移動経過データを算出する。演算部２２０は、対象移動経過データとして、対象存在時間データと、対象移動回数データと、最終領域データと、対象到達時間データとを算出する。
【００７９】
対象存在時間データは、注視点Ｐが特定領域Ａ１に存在した存在時間を示す。本実施形態では、判定部２１８により注視点が特定領域Ａ１に存在すると判定された回数が多いほど、特定領域Ａ１に注視点Ｐが存在した存在時間が長いと推定することができる。したがって、対象存在時間データは、特定領域Ａ１に注視点が存在すると判定部２１８に判定された回数とすることができる。つまり、演算部２２０は、カウンタにおけるカウント値ＣＮＴＡ１を対象存在時間データとすることができる。
【００８０】
対象移動回数データは、注視点Ｐが最初に特定領域Ａ１に到達するまでに複数の比較領域Ａ２〜Ａ４の間で注視点Ｐの位置が移動する移動回数を示す。したがって、演算部２２０は、特定領域Ａ１及び比較領域Ａ２〜Ａ４の領域間で注視点Ｐが何回移動したかをカウントし、注視点Ｐが特定領域Ａ１に到達するまでのカウント結果を対象移動回数データとすることができる。
【００８１】
また、最終領域データは、特定領域Ａ１及び比較領域Ａ２〜Ａ４のうち対象表示期間において注視点Ｐが最後に存在していた領域、つまり被験者が回答として最後に注視していた領域を示す。演算部２２０は、注視点Ｐが存在する領域を当該注視点Ｐの検出毎に更新することにより、対象表示期間が終了した時点における検出結果を最終領域データとすることができる。
【００８２】
また、対象到達時間データは、対象表示期間の開始時点から注視点が特定領域Ａ１に最初に到達した到達時点までの時間を示す。したがって、演算部２２０は、対象表示期間の開始からの経過時間をタイマＴ１によって測定し、注視点が最初に特定領域Ａ１に到達した時点でフラグ値を１としてタイマＴ１の測定値を検出することで、当該タイマＴ１の検出結果を対象到達時間データとすることができる。
【００８３】
対象表示動作について、評価部２２４は、対象存在時間データ、対象移動回数データ、最終領域データ、及び対象到達時間データに基づいて評価データを求める。
【００８４】
ここで、最終領域データのデータ値をＤ２１、対象存在時間データのデータ値をＤ２２、対象到達時間データのデータ値をＤ２３、対象移動回数データのデータ値をＤ２４とする。ただし、最終領域データのデータ値Ｄ２１は、被験者の最終的な注視点Ｐが特定領域Ａ１に存在していれば（つまり、正解であれば）１、特定領域Ａ１に存在していなければ（つまり、不正解であれば）０とする。また、対象存在時間データのデータ値Ｄ２２は、特定領域Ａ１に注視点Ｐが存在した秒数とする。なお、データ値Ｄ２２は、表示期間よりも短い秒数の上限値が設けられてもよい。また、対象到達時間データのデータ値Ｄ２３は、到達時間の逆数（例えば、１／（到達時間）÷１０）（１０：到達時間の最小値を０．１秒として到達時間評価値を１以下とするための係数）とする。また、対象移動回数データのデータ値Ｄ２４は、カウンタ値をそのまま用いることとする。なお、データ値Ｄ２４は、適宜上限値が設けられてもよい。
【００８５】
この場合、評価値ＡＮＳは、例えば、
ＡＮＳ２＝Ｄ２１・Ｋ２１＋Ｄ２２・Ｋ２２＋Ｄ２３・Ｋ２３＋Ｄ２４・Ｋ２４
と表すことができる。なお、Ｋ２１〜Ｋ２４は、重みづけのための定数である。定数Ｋ２１〜Ｋ２４については、適宜設定することができる。
【００８６】
上記式で示される評価値ＡＮＳ２は、最終領域データのデータ値Ｄ２１が１である場合、対象存在時間データのデータ値Ｄ２２が大きい場合、対象到達時間データのデータ値Ｄ２３が大きい場合、対象移動回数データのデータ値Ｄ２４の値が大きい場合に、値が大きくなる。つまり、最終的な注視点Ｐが特定領域Ａ１に存在し、特定領域Ａ１における注視点Ｐの存在時間が長く、対象表示期間の開始時点から特定領域Ａ１に注視点Ｐが到達する到達時間が短く、注視点Ｐが各領域を移動する移動回数が多いほど、評価値ＡＮＳ２が大きくなる。
【００８７】
一方、評価値ＡＮＳ２は、最終領域データのデータ値Ｄ２１が０である場合、対象存在時間データのデータ値Ｄ２２が小さい場合、対象到達時間データのデータ値Ｄ２３が小さい場合、対象移動回数データのデータ値Ｄ２４が小さい場合に、値が小さくなる。つまり、最終的な注視点Ｐが特定領域Ａ１に存在せず、特定領域Ａ１における注視点Ｐの存在時間が短く、対象表示期間の開始時点から特定領域Ａ１に注視点Ｐが到達する到達時間が長く、注視点Ｐが各領域を移動する移動回数が少ないほど、評価値ＡＮＳ２が小さくなる。
【００８８】
したがって、評価部２２４は、評価値ＡＮＳ２が所定値以上か否かを判断することで評価データを求めることができる。例えば評価値ＡＮＳ２が所定値以上である場合、被験者が認知機能障害および脳機能障害である可能性は低いと評価することができる。また、評価値ＡＮＳ２が所定値未満である場合、被験者が認知機能障害および脳機能障害である可能性は高いと評価することができる。
【００８９】
また、評価部２２４は、評価値ＡＮＳ２の値を記憶部２２２に記憶させておくことができる。例えば、同一の被験者についての評価値ＡＮＳ２を累積的に記憶し、過去の評価値と比較した場合の評価を行ってもよい。例えば、評価値ＡＮＳ２が過去の評価値よりも高い値となった場合、認知機能及び脳機能が前回の評価に比べて改善されている旨の評価を行うことができる。また、評価値ＡＮＳ２の累積値が徐々に高くなっている場合等には、認知機能及び脳機能が徐々に改善されている旨の評価を行うことができる。
【００９０】
また、評価部２２４は、対象存在時間データ、対象移動回数データ、最終領域データ、及び対象到達時間データを個別又は複数組み合わせて評価を行ってもよい。例えば、多くの対象物を見ている間に、偶発的に特定領域Ａ１に注視点Ｐが到達した場合には、対象移動回数データのデータ値Ｄ２４は小さくなる。この場合には、上述した対象存在時間データのデータ値Ｄ２２と併せて評価を行うことができる。例えば、移動回数が少ない場合であっても存在時間が長い場合には、正解となる特定領域Ａ１を注視できていると評価することができる。また、移動回数が少ない場合であって存在時間も短い場合、偶発的に注視点Ｐが特定領域Ａ１を通過したものがあると評価することができる。
【００９１】
また、移動回数が少ない場合において、最終領域が特定領域Ａ１であれば、例えば正解の特定領域Ａ１に注視点移動が少なくて到達したと評価することができる。一方、上述した移動回数が少ない場合において、最終領域が特定領域Ａ１でなければ、例えば偶発的に注視点Ｐが特定領域Ａ１を通過したものあると評価することができる。
【００９２】
なお、評価部２２４は、指示表示動作における評価値ＡＮＳ１と、対象表示動作における評価値ＡＮＳ２とを組み合わせて評価を行ってもよい。
【００９３】
本実施形態において、出力制御部２２６は、評価部２２４が評価データを出力した場合、評価データに応じて、例えば「被験者は認知機能障害および脳機能障害である可能性が低いと思われます」の文字データや、「被験者は認知機能障害および脳機能障害である可能性が高いと思われます」の文字データ等を出力装置５０に出力させることができる。また、出力制御部２２６は、同一の被験者についての評価値ＡＮＳが過去の評価値ＡＮＳに比べて高くなっている場合、「認知機能および脳機能が改善されています」等の文字データ等を出力装置５０に出力させることができる。
【００９４】
図１０は、指示表示動作において表示画面１０１Ｓに表示する内容の他の例を示す図である。図１０に示すように、表示制御部２０２は、指示表示動作において、表示画面１０１Ｓに課題対象物Ｍ０２を表示すると共に、当該課題対象物Ｍ０２と同一の図形を注視するように被験者に指示するための指示情報Ｉ２を表示画面１０１Ｓに同時に表示させる。領域設定部２１６は、例えば課題対象物Ｍ０２を含む矩形の範囲に課題領域Ａを設定する。また、領域設定部２１６は、例えば指示情報Ｉ２を含む矩形の範囲に指示領域Ｂを設定する。領域設定部２１６は、課題領域Ａと指示領域Ｂとが重ならないように表示画面１０１Ｓに設定する。
【００９５】
図１１は、対象表示動作において表示画面１０１Ｓに複数の対象物を表示する場合の他の例を示す図である。表示制御部２０２は、指示表示動作の後、対象表示動作において、図１１に示すように、指示情報Ｉ２に対して正解となる特定対象物Ｍ５と指示情報Ｉ２に対して不正解となる比較対象物Ｍ６、Ｍ７とを表示する。この場合、表示制御部２０２は、例えば特定対象物Ｍ５と比較対象物Ｍ６、Ｍ７とのように、同一の形状（例、五角形）を用いて形成された図形を表示させる。また、領域設定部２１６は、特定対象物Ｍ５に対応した特定領域Ａ１を設定し、比較対象物Ｍ６、Ｍ７に対応した比較領域Ａ２、Ａ３を設定することができる。領域設定部２１６は、特定領域Ａ１と比較領域Ａ２、Ａ３とが重ならないように表示画面１０１Ｓに設定する。このように、対象表示動作において、類似する図形である特定対象物Ｍ５と比較対象物Ｍ６、Ｍ７とを表示することにより、被験者の図形認識機能についても評価することができる。
【００９６】
図１２は、指示表示動作において表示画面１０１Ｓに表示する内容の他の例を示す図である。図１２に示すように、表示制御部２０２は、指示表示動作において、課題対象物Ｍ０３として、表示画面１０１Ｓに人物の顔を表示すると共に、当該課題対象物Ｍ０３と同一の人物を注視するように被験者に指示するための指示情報Ｉ３を表示画面１０１Ｓに同時に表示してもよい。この場合、領域設定部２１６は、例えば課題対象物Ｍ０３を含む矩形の範囲に課題領域Ａを設定する。また、領域設定部２１６は、例えば指示情報Ｉ３を含む矩形の範囲に指示領域Ｂを設定する。領域設定部２１６は、課題領域Ａと指示領域Ｂとが重ならないように表示画面１０１Ｓに設定する。
【００９７】
図１３は、対象表示動作において表示画面１０１Ｓに複数の対象物を表示する場合の他の例を示す図である。表示制御部２０２は、指示表示動作の後、対象表示動作において、図１３に示すように、指示情報Ｉ３に対して正解となる課題対象物と同一人物の顔である特定対象物Ｍ８と、指示情報Ｉ３に対して不正解となる特定対象物Ｍ８とは異なる人物の顔である比較対象物Ｍ９〜Ｍ１１とを表示画面１０１Ｓに表示する。また、領域設定部２１６は、特定対象物Ｍ８に対応した特定領域Ａ１を設定し、比較対象物Ｍ９〜Ｍ１１に対応した比較領域Ａ２〜Ａ４を設定する。領域設定部２１６は、特定領域Ａ１と比較領域Ａ２〜Ａ４とが重ならないように表示画面１０１Ｓに設定する。このように、指示表示動作及び対象表示動作において、人物の顔を表示することにより、被験者の人物認識機能についても評価することができる。
【００９８】
図１４は、指示表示動作において表示画面１０１Ｓに表示する内容の他の例を示す図である。表示制御部２０２は、指示表示動作において、複数の三角形を含む図形を課題対象物Ｍ０４として表示画面１０１Ｓに表示し、課題対象物Ｍ０４の中に存在する三角形の個数を求め、正しい数値を注視するように被験者に指示するための指示を指示情報Ｉ４として表示画面１０１Ｓに表示してもよい。このように、被験者に与えられる課題は、課題対象物を記憶する内容に限られない。また、領域設定部２１６は、例えば課題対象物Ｍ０４を含む矩形の範囲に課題領域Ａを設定する。また、領域設定部２１６は、例えば指示情報Ｉ４を含む矩形の範囲に指示領域Ｂを設定する。領域設定部２１６は、課題領域Ａと指示領域Ｂとが重ならないように表示画面１０１Ｓに設定する。
【００９９】
図１５は、対象表示動作において表示画面１０１Ｓに複数の対象物を表示する場合の他の例を示す図である。表示制御部２０２は、指示表示動作の後、対象表示動作において、図１５に示すように、「１３」〜「１６」の数値を示す複数の対象物Ｍ１３〜Ｍ１６を表示画面１０１Ｓに表示する。表示制御部２０２は、複数の対象物Ｍ１３〜Ｍ１６として、指示情報Ｉ４に対して正解となる特定対象物Ｍ１３と、当該特定対象物Ｍ１３とは異なり、指示情報Ｉ４に対して不正解となる比較対象物Ｍ１４〜Ｍ１６とを表示画面１０１Ｓに表示する。また、領域設定部２１６は、特定対象物Ｍ１３に対応した特定領域Ａ１を設定し、比較対象物Ｍ１４〜Ｍ１６に対応した比較領域Ａ２〜Ａ４を設定する。領域設定部２１６は、特定領域Ａ１と比較領域Ａ２〜Ａ４とが重ならないように表示画面１０１Ｓに設定する。
【０１００】
この設定では、評価においてデータ値Ｄ２１を求める際、被験者の最終的な注視点Ｐが特定領域Ａ１に存在していない場合にデータ値Ｄ２１を０にするのではなく、正解に近い数値を回答した順に一定のデータ値を付与することができる。例えば、被験者の最終的な注視点Ｐが比較領域Ａ２に存在している場合には０．６、被験者の最終的な注視点Ｐが比較領域Ａ３に存在している場合には０．２、被験者の最終的な注視点Ｐが比較領域Ａ４に存在している場合には０、というようにデータ値Ｄ２１を求めるようにしてもよい。このように、したがって、被験者に与える課題を幅広く設定することができ、より詳細な評価を行うことができる。
【０１０１】
次に、本実施形態に係る評価方法の一例について説明する。まず、指示表示動作における評価方法の一例を説明する。図１６は、指示表示動作における評価方法の一例を示すフローチャートである。図１６に示すように、指示表示動作において、表示制御部２０２は、映像の再生を開始させ（ステップＳ１０１）、その後、タイマＴ１をリセットし（ステップＳ１０２）、カウンタのカウント値ＣＮＴＡ、ＣＮＴＢをリセットし（ステップＳ１０３）、フラグ値Ｆを０にする（ステップＳ１０４）。
【０１０２】
注視点検出部２１４は、表示装置１０１に表示された映像を被験者に見せた状態で、規定のサンプリング周期（例えば２０［ｍｓｅｃ］）毎に、表示装置１０１の表示画面１０１Ｓにおける被験者の注視点の位置データを検出する（ステップＳ１０５）。位置データが検出された場合（ステップＳ１０６のＮｏ）、判定部２１８は、位置データに基づいて注視点Ｐが存在する領域を判定する（ステップＳ１０７）。また、位置データが検出されない場合（ステップＳ１０６のＹｅｓ）、後述するステップＳ１１９以降の処理を行う。
【０１０３】
注視点Ｐが課題領域Ａに存在すると判定された場合（ステップＳ１０８のＹｅｓ）、演算部２２０は、フラグ値Ｆが１であるか否か、つまり、注視点Ｐが課題領域Ａに到達したのが最初か否か（１:到達済み、０:未到達）を判定する（ステップＳ１０９）。フラグ値Ｆが１である場合（ステップＳ１０９のＹｅｓ）、演算部２２０は、以下のステップＳ１１０及びステップＳ１１１を飛ばして後述するステップＳ１１２の処理を行う。
【０１０４】
また、フラグ値Ｆが１ではない場合、つまり、課題領域Ａに注視点Ｐが到達したのが最初である場合（ステップＳ１０９のＮｏ）、演算部２２０は、タイマＴ１の計測結果を指示到達時間データとして抽出する（ステップＳ１１０）。その後、演算部２２０は、フラグ値を１に変更する（ステップＳ１１１）。
【０１０５】
次に、演算部２２０は、直近の検出において注視点Ｐが存在した領域、つまり最終領域が課題領域Ａであるか否かを判定する（ステップＳ１１２）。演算部２２０は、最終領域が課題領域Ａであると判定した場合（ステップＳ１１２のＹｅｓ）、以下のステップＳ１１３を飛ばして後述するステップＳ１１４の処理を行う。また、最終領域が課題領域Ａではないと判定した場合（ステップＳ１１２のＮｏ）、演算部２２０は、注視点Ｐが領域間で何回移動したかを示す積算回数を＋１とし（ステップＳ１１３）、課題領域Ａでの第１存在時間データを示すカウント値ＣＮＴＡを＋１とする（ステップＳ１１４）。その後、演算部２２０は、後述するステップＳ１１９以降の処理を行う。
【０１０６】
また、注視点Ｐが課題領域Ａに存在しないと判定された場合（ステップＳ１０８のＮｏ）、演算部２２０は、注視点Ｐが指示領域Ｂに存在するか否かを判定する（ステップＳ１１５）。注視点Ｐが指示領域Ｂに存在すると判定された場合（ステップＳ１１５のＹｅｓ）、演算部２２０は、直近の検出において注視点Ｐが存在した領域、つまり最終領域が指示領域Ｂであるか否かを判定する（ステップＳ１１６）。演算部２２０は、最終領域が指示領域Ｂであると判定した場合（ステップＳ１１６のＹｅｓ）、以下のステップＳ１１７を飛ばして後述するステップＳ１１８の処理を行う。また、最終領域が指示領域Ｂではないと判定した場合（ステップＳ１１６のＮｏ）、演算部２２０は、注視点Ｐが領域間で何回移動したかを示す積算回数を＋１とし（ステップＳ１１７）、指示領域Ｂでの第２存在時間データを示すカウント値ＣＮＴＢを＋１とする（ステップＳ１１８）。ステップＳ１１８の後、及びステップＳ１１５において注視点Ｐが指示領域Ｂに存在しないと判定された場合（ステップＳ１１５のＮｏ）、演算部２２０は、後述するステップＳ１１９以降の処理を行う。
【０１０７】
その後、演算部２２０は、検出タイマＴ１の検出結果に基づいて、映像の再生が完了する時刻に到達したか否かを判断する（ステップＳ１１９）。演算部２２０により映像の再生が完了する時刻に到達していないと判断された場合（ステップＳ１１９のＮｏ）、上記のステップＳ１０５以降の処理を繰り返し行う。
【０１０８】
演算部２２０により映像の再生が完了する時刻に到達したと判断された場合（ステップＳ１１９のＹｅｓ）、表示制御部２０２は、指示表示動作に関する映像の再生を停止させる（ステップＳ１２０）。映像の再生が停止された後、評価部２２４は、上記の処理結果から得られる第１存在時間データと、第２存在時間データと、指示移動回数データと、指示到達時間データとに基づいて、評価値ＡＮＳ１を算出し（ステップＳ１２１）、評価値ＡＮＳ１に基づいて評価データを求める。その後、出力制御部２２６は、評価部２２４で求められた評価データを出力する（ステップＳ１２２）。
【０１０９】
次に、対象表示動作における評価方法の一例を説明する。図１７は、対象表示動作における評価方法の一例を示すフローチャートである。図１７に示すように、対象表示動作において、表示制御部２０２は、映像の再生を開始させる（ステップＳ２０１）。評価用映像部分までの待ち時間を経過した後（ステップＳ２０２）、タイマＴ１をリセットし（ステップＳ２０３）、カウンタのカウント値ＣＮＴＡをリセットし（ステップＳ２０４）、フラグ値を０にする（ステップＳ２０５）。
【０１１０】
注視点検出部２１４は、表示装置１０１に表示された映像を被験者に見せた状態で、規定のサンプリング周期（例えば２０［ｍｓｅｃ］）毎に、表示装置１０１の表示画面１０１Ｓにおける被験者の注視点の位置データを検出する（ステップＳ２０６）。位置データが検出された場合（ステップＳ２０７のＮｏ）、判定部２１８は、位置データに基づいて注視点Ｐが存在する領域を判定する（ステップＳ２０８）。
【０１１１】
注視点Ｐが特定領域Ａ１に存在すると判定された場合（ステップＳ２０９のＹｅｓ）、演算部２２０は、フラグ値が１であるか否か、つまり、注視点Ｐが特定領域Ａ１に到達したのが最初か否か（１:到達済み、０:未到達）を判定する（ステップＳ２１０）。フラグ値が１である場合（ステップＳ２１０のＹｅｓ）、演算部２２０は、以下のステップＳ２１１からステップＳ２１３を飛ばして後述するステップＳ２１４の処理を行う。
【０１１２】
また、フラグ値が１ではない場合、つまり、特定領域Ａ１に注視点Ｐが到達したのが最初である場合（ステップＳ２１０のＮｏ）、演算部２２０は、タイマＴ１の計測結果を対象到達時間データとして抽出する（ステップＳ２１１）。また、演算部２２０は、特定領域Ａ１に到達するまでに注視点Ｐが領域間の移動を何回行ったかを示す移動回数データを記憶部２２２に記憶させる（ステップＳ２１２）。その後、演算部２２０は、フラグ値を１に変更する（ステップＳ２１３）。
【０１１３】
次に、演算部２２０は、直近の検出において注視点Ｐが存在した領域、つまり最終領域が特定領域Ａ１であるか否かを判定する（ステップＳ２１４）。演算部２２０は、最終領域が特定領域Ａ１であると判定した場合（ステップＳ２１４のＹｅｓ）、以下のステップＳ２１５及びステップＳ２１６を飛ばして後述するステップＳ２１７の処理を行う。また、最終領域が特定領域Ａ１ではないと判定した場合（ステップＳ２１４のＮｏ）、演算部２２０は、注視点Ｐが領域間で何回移動したかを示す積算回数を＋１とし（ステップＳ２１５）、最終領域を特定領域Ａ１に変更する（ステップＳ２１６）。また、演算部２２０は、特定領域Ａ１での対象存在時間データを示すカウント値ＣＮＴＡ１を＋１とする（ステップＳ２１７）。その後、演算部２２０は、後述するステップＳ２３０以降の処理を行う。
【０１１４】
また、注視点Ｐが特定領域Ａ１に存在しないと判定された場合（ステップＳ２０９のＮｏ）、演算部２２０は、注視点Ｐが比較領域Ａ２に存在するか否かを判定する（ステップＳ２１８）。注視点Ｐが比較領域Ａ２に存在すると判定された場合（ステップＳ２１８のＹｅｓ）、演算部２２０は、直近の検出において注視点Ｐが存在した領域、つまり最終領域が比較領域Ａ２であるか否かを判定する（ステップＳ２１９）。演算部２２０は、最終領域が比較領域Ａ２であると判定した場合（ステップＳ２１９のＹｅｓ）、以下のステップＳ２２０及びステップＳ２２１を飛ばして後述するステップＳ２３０の処理を行う。また、最終領域が比較領域Ａ２ではないと判定した場合（ステップＳ２１９のＮｏ）、演算部２２０は、注視点Ｐが領域間で何回移動したかを示す積算回数を＋１とし（ステップＳ２１５）、最終領域を比較領域Ａ２に変更する（ステップＳ２２０）。その後、演算部２２０は、後述するステップＳ２３０以降の処理を行う。
【０１１５】
また、注視点Ｐが比較領域Ａ２に存在しないと判定された場合（ステップＳ２１８のＮｏ）、演算部２２０は、注視点Ｐが比較領域Ａ３に存在するか否かを判定する（ステップＳ２２２）。注視点Ｐが比較領域Ａ３に存在すると判定された場合（ステップＳ２２２のＹｅｓ）、演算部２２０は、直近の検出において注視点Ｐが存在した領域、つまり最終領域が比較領域Ａ３であるか否かを判定する（ステップＳ２２３）。演算部２２０は、最終領域が比較領域Ａ３であると判定した場合（ステップＳ２２３のＹｅｓ）、以下のステップＳ２２４及びステップＳ２２５を飛ばして後述するステップＳ２３０の処理を行う。また、最終領域が比較領域Ａ３ではないと判定した場合（ステップＳ２２３のＮｏ）、演算部２２０は、注視点Ｐが領域間で何回移動したかを示す積算回数を＋１とし（ステップＳ２２４）、最終領域を比較領域Ａ３に変更する（ステップＳ２２５）。その後、演算部２２０は、後述するステップＳ２３０以降の処理を行う。
【０１１６】
また、注視点Ｐが比較領域Ａ３に存在しないと判定された場合（ステップＳ２２２のＮｏ）、演算部２２０は、注視点Ｐが比較領域Ａ４に存在するか否かを判定する（ステップＳ２２６）。注視点Ｐが比較領域Ａ４に存在すると判定された場合（ステップＳ２２６のＹｅｓ）、演算部２２０は、直近の検出において注視点Ｐが存在した領域、つまり最終領域が比較領域Ａ４であるか否かを判定する（ステップＳ２２７）。演算部２２０は、最終領域が比較領域Ａ４であると判定した場合（ステップＳ２２７のＹｅｓ）、以下のステップＳ２２８及びステップＳ２２９を飛ばして後述するステップＳ２３０の処理を行う。また、最終領域が比較領域Ａ４ではないと判定した場合（ステップＳ２２７のＮｏ）、演算部２２０は、注視点Ｐが領域間で何回移動したかを示す積算回数を＋１とし（ステップＳ２２８）、最終領域を比較領域Ａ４に変更する（ステップＳ２２９）。ステップＳ２２９の後、及びステップＳ２２６において注視点Ｐが比較領域Ａ４に存在しないと判定された場合（ステップＳ２２６のＮｏ）、演算部２２０は、後述するステップＳ２３０以降の処理を行う。
【０１１７】
その後、演算部２２０は、検出タイマＴ１の検出結果に基づいて、映像の再生が完了する時刻に到達したか否かを判断する（ステップＳ２３０）。演算部２２０により映像の再生が完了する時刻に到達していないと判断された場合（ステップＳ２３０のＮｏ）、上記のステップＳ２０６以降の処理を繰り返し行う。
【０１１８】
演算部２２０により映像の再生が完了する時刻に到達したと判断された場合（ステップＳ２３０のＹｅｓ）、表示制御部２０２は、映像の再生を停止させる（ステップＳ２３１）。映像の再生が停止された後、評価部２２４は、上記の処理結果から得られる対象存在時間データと、対象移動回数データと、最終領域データと、対象到達時間データに基づいて、評価値ＡＮＳ２を算出し（ステップＳ２３２）、評価値ＡＮＳ２に基づいて評価データを求める。その後、出力制御部２２６は、評価部２２４で求められた評価データを出力する（ステップＳ２３３）。
【０１１９】
以上のように、本実施形態に係る評価装置は、画像を表示する表示画面１０１Ｓと、表示画面１０１Ｓに表示される画像を観察する被験者の注視点の位置を検出する注視点検出部２１４と、被験者に注視させる課題対象物と、課題対象物に関する課題を解決するように被験者に指示する指示情報とを表示画面１０１Ｓに表示する指示表示動作を行う表示制御部２０２と、課題対象物に対応した課題領域Ａと、指示情報に対応した指示領域Ｂとを表示画面１０１Ｓに設定する領域設定部２１６と、注視点Ｐの位置データに基づいて、指示表示動作が行われる指示表示期間に注視点が課題領域Ａ及び指示領域Ｂに存在するか否かをそれぞれ判定する判定部２１８と、判定結果に基づいて、指示表示期間における注視点Ｐの移動の経過を示す指示移動経過データを算出する演算部２２０と、指示移動経過データに基づいて、被験者の評価データを求める評価部２２４とを備える。
【０１２０】
また、本実施形態に係る評価方法は、表示画面１０１Ｓに画像を表示することと、表示画面１０１Ｓに表示される画像を観察する被験者の注視点の位置を検出することと、被験者に注視させる課題対象物と、課題対象物に関する課題を解決するように被験者に指示する指示情報とを表示画面１０１Ｓに表示する指示表示動作を行うことと、課題対象物に対応した課題領域Ａと、指示情報に対応した指示領域Ｂとを表示画面１０１Ｓに設定することと、注視点Ｐの位置データに基づいて、指示表示動作が行われる指示表示期間に注視点が課題領域Ａ及び指示領域Ｂに存在するか否かをそれぞれ判定することと、判定結果に基づいて、指示表示期間における注視点Ｐの移動の経過を示す指示移動経過データを算出することと、指示移動経過データに基づいて、被験者の評価データを求めることとを含む。
【０１２１】
また、本実施形態に係る評価プログラムは、表示画面１０１Ｓに画像を表示する処理と、表示画面１０１Ｓに表示される画像を観察する被験者の注視点の位置を検出する処理と、被験者に注視させる課題対象物と、課題対象物に関する課題を解決するように被験者に指示する指示情報とを表示画面１０１Ｓに表示する指示表示動作を行う処理と、課題対象物に対応した課題領域Ａと、指示情報に対応した指示領域Ｂとを表示画面１０１Ｓに設定する処理と、注視点Ｐの位置データに基づいて、指示表示動作が行われる指示表示期間に注視点が課題領域Ａ及び指示領域Ｂに存在するか否かをそれぞれ判定する処理と、判定結果に基づいて、指示表示期間における注視点Ｐの移動の経過を示す指示移動経過データを算出する処理と、指示移動経過データに基づいて、被験者の評価データを求める処理とをコンピュータに実行させる。
【０１２２】
本実施形態によれば、指示表示動作として、表示画面１０１Ｓに課題対象物及び指示情報を表示させる。この場合に、被験者が表示画面１０１Ｓに表示される指示情報を見た後、指示情報が示す課題対象物を注視しようとしているか否かの観点から被験者を評価することが可能である。また、表示期間における注視点の移動の経過に基づいて、被験者の評価データを求めることができるため、被験者をより高精度に評価することができる。これにより、評価装置１００は、被験者の評価を高精度に行うことが可能となる。
【０１２３】
また、本実施形態に係る評価装置１００において、指示移動経過データは、指示表示期間に注視点Ｐが課題領域Ａに存在した存在時間を示す第１存在時間データと、指示表示期間に注視点Ｐが指示領域Ｂに存在した存在時間を示す第２存在時間データと、指示表示期間の開始時点から注視点Ｐが課題領域Ａに到達した到達時点までの指示到達時間データと、指示表示期間において課題領域Ａと指示領域Ｂとの間で注視点の位置が移動する回数を示す指示移動回数データと、を含む。これにより、高精度の評価データを効率的に得ることができる。
【０１２４】
また、本実施形態に係る評価装置１００において、表示制御部２０２は、指示表示動作において、当該指示表示動作の後に表示画面１０１Ｓに表示される複数の対象物の中から課題に対して正解となる対象物を注視するよう指示する情報を指示情報に含ませて表示画面１０１Ｓに表示し、表示制御部は、指示表示動作の後に、指示情報に対して正解となる特定対象物と、特定対象物とは異なる比較対象物とを複数の対象物として表示画面１０１Ｓに表示する対象表示動作を行い、領域設定部２１６は、特定対象物に対応した特定領域Ａ１と、比較対象物に対応した比較領域Ａ２〜Ａ４とを表示画面１０１Ｓに設定し、判定部２１８は、対象表示動作が行われる対象表示期間に注視点Ｐが特定領域Ａ１及び比較領域Ａ２〜Ａ４に存在するか否かをそれぞれ判定し、演算部２２０は、判定結果に基づいて、対象表示期間における注視点Ｐの移動の経過を示す対象移動経過データを算出し、評価部２２４は、指示移動経過データと対象移動経過データとに基づいて、評価データを求める。これにより、指示移動経過データと対象移動経過データとに基づいた評価データが得られるため、より高精度の評価データを得ることができる。
【０１２５】
本発明の技術範囲は上記実施形態に限定されるものではなく、本発明の趣旨を逸脱しない範囲で適宜変更を加えることができる。例えば、上記各実施形態では、評価装置１００を、認知機能障害および脳機能障害である可能性を評価する評価装置として用いる場合を例に挙げて説明したが、これに限定されない。例えば、評価装置１００は、認知機能障害および脳機能障害ではない被験者を評価する評価装置として用いてもよい。
【符号の説明】
【０１２６】
Ａ…課題領域、Ｂ…指示領域、Ａ１…特定領域、Ａ２〜Ａ４…比較領域、Ｆ…フラグ値、Ｍ０１〜Ｍ０４…課題対象物、Ｉ１〜Ｉ４…指示情報、Ｍ１，Ｍ５，Ｍ８，Ｍ１３…特定対象物、Ｍ２〜Ｍ４，Ｍ６，Ｍ７，Ｍ９〜Ｍ１１，Ｍ１４〜Ｍ１６…比較対象物、Ｐ…注視点、１００…視線検出装置（評価装置）、１０１Ｓ…表示画面、２０２…表示制御部、２１４…注視点検出部、２１６…領域設定部、２１８…判定部、２２０…演算部、２２２…記憶部、２２４…評価部
【図１】
2020032078.tif 000003
【図２】
2020032078.tif 000004
【図３】
2020032078.tif 000005
【図４】
2020032078.tif 000006
【図５】
2020032078.tif 000007
【図６】
2020032078.tif 000008
【図７】
2020032078.tif 000009
【図８】
2020032078.tif 000010
【図９】
2020032078.tif 000011
【図１０】
2020032078.tif 000012
【図１１】
2020032078.tif 000013
【図１２】
2020032078.tif 000014
【図１３】
2020032078.tif 000015
【図１４】
2020032078.tif 000016
【図１５】
2020032078.tif 000017
【図１６】
2020032078.tif 000018
【図１７】
2020032078.tif 000019